(57)【要約】【課題】本発明は、番号案内サービスで案内された相手先の電話番号に自動に接続されるとき、ファクシミリ通信を行うことも自動的に判別することができる通信端末装置を提案することを目的とする。【解決手段】案内センターから案内された電話番号による相手先との接続が要求されたとき（Ｓ３でＹｅｓ）、相手先との通信が接続された後（Ｓ５）、送信する原稿が読取部へ挿入されたか否かが確認される（Ｓ６）。そして、読取部への原稿の挿入を確認したとき（Ｓ６でＹｅｓ）、電話通信からファクシミリ通信に切り換えて（Ｓ９）、ファクシミリ通信を行う（Ｓ１０）。【選択図】図１
2009177573.tif 000002
【特許請求の範囲】
【請求項１】
公衆電話回線に接続された通信端末装置であって、
音声通話の可能な通話器と、モデムを有し、所定のファクシミリ通信手順に従って、画像読取部にセットされた原稿を画像データに変換して送信するファクシミリ通信制御部と、システム制御部とを備え、
上記システム制御部は、上記通話器を用いて公衆電話回線を通じて番号案内サービスセンターを発呼した後、該センターに対して、案内された送信先端末装置の番号へ自動接続の依頼を発令し、更にその送信先端末装置の着信を確認したときには、上記ファクシミリ通信制御部を起動してファクシミリ送信を開始する構成にしている、通信端末装置。
【請求項２】
請求項１において、
上記システム制御部は、呼出した送信先端末装置の着信を確認した後、更にファクシミリ通信すべき原稿がセットされていることを確認したときにはじめて、上記ファクシミリ通信制御部を起動してファクシミリ通信を開始する構成にしている、通信端末装置。
【請求項３】
請求項１又は請求項２において、
上記自動接続の依頼の発令は、上記通信端末装置に設けている操作部に設けたキーの組み合わせ操作によって生成される構成にしている、通信端末装置。
【発明の詳細な説明】
【技術分野】
【０００１】
本発明は、ファクシミリ通信を行う通信端末装置に関するもので、特に、電話通信とファクシミリ通信とを切り換えることができる通信端末装置に関する。
【背景技術】
【０００２】
従来より、ファクシミリ通信が可能な通信端末装置として、付属の電話機や外付の電話機を備えた通信端末装置が、一般的に普及されている。このように電話機を備えた通信端末装置は、外部の公衆回線網との接続を制御するＮＣＵ（Network Control Unit）を備える。そして、このＮＣＵが動作することによって、通信端末装置における、電話通信及びファクシミリ通信の切換が行われる。
【０００３】
又、通信する相手先の電話番号を知るために、電話局によって提供される番号案内サービスが一般的に利用されている。この番号案内サービスを利用する利用者は、従来は、電話番号を案内する番号案内サービスセンター（以下、単に「案内センター」と呼ぶ）により案内された電話番号を確認した後、案内された電話番号に発呼するために、回線の切断と再接続を行う必要があった。そのため、利用者は、案内された電話番号をメモなどにより記憶しなければならない。
【０００４】
これらの利用者に要求される煩雑な作業を改善するために、番号案内サービスにより利用者に案内された電話番号を交換機で記憶する交換機システムが提案されている（特許文献１参照）。この特許文献１の交換機システムにおける交換機は、利用者による操作により、利用者の端末装置と回線交換している回線を開放することなく、記憶した電話番号の端末装置への呼び出しを行う。
【０００５】
又、特許文献１の交換機システム以外に、発呼端末の回線を切断することなく、発呼端末が希望する相手先の端末への呼び出しを行う別の番号案内システムが提案されている（特許文献２参照）。特許文献２の番号案内システムでは、案内センターにより電話番号が案内されると、発呼端末側でボタンやキーが押されることで、案内した電話番号への接続が発呼端末より要求される。そして、案内センターは、案内した電話番号への接続の変更を通信網に要求し、発呼端末の回線を切断することなく、希望する相手先への呼び出しを行う。
【０００６】
尚、特許文献２で提案されている番号案内システムと同様のシステムによる番号案内サービスは、既に実現され、一般の公衆回線網の接続に利用されている。この番号案内サービスでは、利用者は、「１０４」をダイヤルすることで、電話会社に対して番号案内サービスの利用を要求する。そして、利用者は、番号案内サービスにより所望する相手先の電話番号を確認した後、「１＃」をダイヤルすることで、番号案内サービスにより案内された電話番号に、回線を切断せずにそのまま接続することができる。
【特許文献１】特開平０８−０２３３８２号公報
【特許文献２】特開２００３−２３４８２７号公報
【発明の開示】
【発明が解決しようとする課題】
【０００７】
このような番号案内サービスを利用した場合、発呼側となる通信端末装置では、回線が切断されることなく、案内された相手先の通信端末装置への呼び出しが成されるため、従来のように、案内された電話番号へのかけ直しを行う必要がなくなる。
【０００８】
しかしながら、電話通信も可能なファクシミリ通信を行う通信端末装置においては、案内された電話番号への通信に自動的に切り換えられたとしても、電話通信及びファクシミリ通信のいずれを行うかを指定する必要がある。即ち、番号案内サービスによって案内された電話番号の通信に自動的に切り換えられたとしても、通信端末装置では、利用者が所望している通信が、ファクシミリ通信及び電話通信のいずれであるかが確認できない。
【０００９】
又、番号案内サービスを利用するためには、電話通信を行うことになるが、案内された電話番号の通信に自動的に切り換えられた場合、ファクシミリ通信を行うにも関わらず、電話通信として接続してしまう。これにより、相手方の通信端末装置では、ファクシミリ通信の開始を確認することができず、タイムアップとなり、回線が切断されてしまう。そのため、発呼側となる利用者は、番号案内サービスで案内された相手先の電話番号をダイヤルして、再度、相手先との回線の接続を行わなければならない。
【００１０】
このような問題に鑑みて、本発明は、番号案内サービスで案内された相手先の電話番号に自動に接続されるとき、ファクシミリ通信を行うことも自動的に判別することができる通信端末装置を提案することを目的とする。
【課題を解決するための手段】
【００１１】
上記目的を達成するために、本発明の通信端末装置は、公衆電話回線に接続された通信端末装置であって、音声通話の可能な通話器と、モデムを有し、所定のファクシミリ通信手順に従って、画像読取部にセットされた原稿を画像データに変換して送信するファクシミリ通信制御部と、システム制御部とを備え、上記システム制御部は、上記通話器を用いて公衆電話回線を通じて番号案内サービスセンターを発呼した後、該センターに対して、案内された送信先端末装置の番号への自動接続の依頼を発令し、更にその送信先端末装置の着信を確認したときには、上記ファクシミリ通信制御部を起動してファクシミリ送信を開始する構成にしている。
【００１２】
尚、この通信端末装置において、「ファクシミリ通信制御部」が、本明細書における「ＮＣＵ」に相当し、「通話器」が、本明細書における「付属電話機」又は「外付電話機」に相当する。
【００１３】
このような通信端末装置において、上記システム制御部は、呼出した送信先端末装置の着信を確認した後、更にファクシミリ通信すべき原稿がセットされていることを確認したときにはじめて、上記ファクシミリ通信制御部を起動してファクシミリ通信を開始する構成としてもよい。
【００１４】
又、上述の通信端末装置において、上記自動接続の依頼の発令は、上記通信端末装置に設けている操作部に設けたキーの組み合わせ操作によって生成される構成としてもよい。
【発明の効果】
【００１５】
本発明によると、番号案内サービスを利用したときに、案内された送信先端末装置の番号への自動接続サービスを依頼する場合において、送信先端末装置の着信を確認したときに、ファクシミリ通信制御部を起動してファクシミリ通信を開始する。これにより、番号案内サービスを利用するために電話通信が行われているが、相手先となる送信先端末装置と通信が可能となった状態において、ファクシミリ通信に自動的に切り換えられる。そのため、利用者によるファクシミリ通信への切換の指示が不要となるだけでなく、相手先と通信が可能となった場合に、相手先でファクシミリ通信であることが認識されずに、ファクシミリ通信が失敗することを防げる。更に、ファクシミリ通信を行うか否かを、原稿のセットの有無により確認できるものとすることで、ファクシミリ通信の切換の可否をより正確に行うことができる。
【発明を実施するための最良の形態】
【００１６】
（本発明の基本動作）
本発明における通信端末装置の基本動作について、図１のフローチャートを参照して説明する。図１は、本発明の通信端末装置により番号案内サービスを利用した際の、通信端末装置内での動作を示すフローチャートである。
【００１７】
本発明の通信端末装置は、利用者が付属の電話機（以下、単に「付属電話機」と呼ぶ）や外付の電話機（以下、単に「外付電話機」と呼ぶ）を利用して、番号案内サービスを提供している案内センターの電話番号（例えば、「１０４」）をダイヤルする。よって、公衆回線網を管理する交換機が、通信端末装置による案内センターへの発呼を確認することによって、交換機が案内センターとの回線を接続し、通信端末装置は、案内センターとの通信が可能な状態となる。そして、案内センターとの回線が接続されることで、図１のフローチャートに示すように、通信端末装置の利用者が、案内センターによる番号案内サービスを受けることができる（Ｓ１）。
【００１８】
この番号案内サービスを受けた際、通信端末装置の利用者が、案内センター側のオペレータと通話を行い、電話通信又はファクシミリ通信の相手先の名称や住所などの情報を伝える。案内センター側では、オペレータが、通信端末装置の利用者から伝えられた情報に基づいた検索を行い、利用者の所望する相手先の電話番号を確認する。そして、案内センターで確認された電話番号は、音声又は符号などによる情報に変換されて、通信端末装置に送信されることにより、通信端末装置の利用者に案内される。これにより、通信端末装置では、受信した情報に基づいて、音声による出力又は文字の表示により、利用者が相手先の電話番号を確認する（Ｓ２）。
【００１９】
その後、通信端末装置は、Ｓ２で確認した電話番号による相手先との接続に切り換えることを指示する操作（例えば、「１＃」のダイヤル操作など）の有無を確認する（Ｓ３）。このとき、利用者による操作がなく、案内センターより案内された電話番号による相手先との接続が所望されていない場合（Ｓ３でＮｏ）、通信端末装置は、回線との接続が切断されて、案内センターとの通信が終了する（Ｓ４）。
【００２０】
又、利用者が操作を行い、案内された電話番号による相手先との接続が所望された場合（Ｓ３でＹｅｓ）、案内された電話番号による呼び出しが行われることで、相手先の通信端末装置（「送信先端末装置」に相当する）との通信が接続される（Ｓ５）。このとき、通信端末装置が接続される公衆電話網において、上述した交換機により、案内された電話番号による相手先の通信端末装置との回線が接続され、相手先の通信端末装置への呼び出しが成される。
【００２１】
更に、案内された電話番号による相手先との通信が接続された後、ファクシミリ通信で送信する原稿がその画像を読み取る画像読取部（以下、単に「読取部」とする）へ挿入されたか否か（原稿のセットの有無）を、利用者側の通信端末装置が確認する（Ｓ６）。そして、ファクシミリ通信で送信する原稿の挿入が確認されなかった場合（Ｓ６でＮｏ）、相手先となる通信端末装置への呼び出しを続けた後（Ｓ７）、付属の電話機や外付の電話機を用いた電話通信により、相手先の通信端末装置との通話が成される（Ｓ８）。
【００２２】
一方、ファクシミリ通信で送信する原稿が読取部へ挿入されている場合（Ｓ６でＹｅｓ）、現在の電話通信からファクシミリ通信へ切り換えて、ＣＮＧ（Calling Tone）信号を送信し、相手先の通信端末装置とファクシミリ通信を行うための接続を行う（Ｓ９）。その後、読取部で送信する原稿の画像の読み取りを行い、ファクシミリ通信を利用して、読取部で取得した原稿の画像データを相手先の通信端末装置に送信する（Ｓ１０）。
【００２３】
尚、図１に示すフローチャートによる基本動作において、Ｓ６における、送信する原稿の挿入の確認については、Ｓ５において、相手先の通信端末装置との通信が接続された後に行われるものに限らない。例えば、付属の電話機や外付の電話機などにより相手先の電話番号へのダイヤルを開始したとき、又は、相手先の電話番号への発呼動作を開始したときに、送信する原稿の挿入を確認し、確認した結果をフラグなどの手段で記憶するものとしてもよい。又、例えば、後述する実施例１のように、相手先となる通信端末装置を交換機が呼び出した後、相手先の通信端末装置の着信を確認したときに、Ｓ６における原稿の挿入の確認が行われるものとしてもよい。
【実施例１】
【００２４】
上述した、図１に示すフローチャートによる基本動作を行う通信端末装置の実施例について、図面を参照して以下に説明する。図２は、本実施例における通信端末装置の内部構成を示すブロック図である。又、図３は、図２に示す通信端末装置の動作を示すフローチャートである。
【００２５】
１．ファクシミリ装置の構成
本実施例における通信端末装置である、図２に示すファクシミリ装置Ｆには、電話回線に接続される端子ｔａ，ｔｂに対して、その電話回線を介し、付属電話機Ｔｅ１及び外付電話機Ｔｅ２が並列に接続される。又、ファクシミリ装置Ｆは、公衆回線網Ｌとの接続を制御するＮＣＵとして、トランスＴと、ＣＭＬリレーＲＹｃと、リレーＲＹｈと、呼出信号検出回路３と、オフフック（ＯＨ：Off Hook）検出回路４と、ダイヤル発生回路３１と、回線信号モニタ回路３２と、を備える。
【００２６】
ファクシミリ通信を行うため、ファクシミリ装置Ｆは、上記のＮＣＵ以外に、ファクシミリ通信のための変復調を行うモデム２と、スキャナを有する読取部５と、プリントヘッドを有する記録部６と、受信した画像を一時的に記憶する画像メモリ９とを、備える。更に、ファクシミリ装置Ｆは、装置全体の動作を制御するシステム制御部１（ＭＰＵ：Micro Processing Unit）と、ファクシミリ通信を行う相手先の電話番号などを入力するための操作部７と、装置の状態や受信した画像データによる画像の表示を行う表示部８とを、備える。
【００２７】
上述の構成のＮＣＵにおいて、ＣＭＬリレーＲＹｃの出力側の接点ｂと接続される呼出信号検出回路３が、交換機からの呼出信号を検出し、端子Ｔｂと接続されたＯＨ検出回路４が、付属電話機Ｔｅ１又は外付電話機Ｔｅ２のオフフックを検出する。そして、入力側の接点に公衆電話回線網Ｌが接続されるＣＭＬリレーＲＹｃの出力側の接点ａが、２次側がモデム２に接続されたトランスＴの１次側に接続される一方で、ＣＭＬリレーＲＹｃの出力側の接点ｂには、呼出信号検出回路３が接続される。
【００２８】
又、ＣＭＬリレーＲＹｃとトランスＴの１次側を接続するラインの一方に設置されたダイヤル発生回路３１が、その内部に備えたライン上のスイッチを開閉することにより、操作部７で入力された電話番号による発呼信号を生成する。更に、公衆回線網Ｌに直接接続される回線信号モニタ回路３２が、公衆回線網Ｌで接続された相手先からの着呼信号及び着信信号を検出する。同様に、出力側の接点ｂが公衆回線網Ｌと直接接続されるリレーＲＹｈでは、もう一方の出力側の接点ａがＭＰＵ１と接続されるとともに、入力側の接点が端子ｔａ及びＯＨ検出回路４と接続される。尚、図２では図示していないが、リレーＲＹｈ、ＯＨ検出回路４、及び端子ｔａ，ｔｂはそれぞれ、付属電話機Ｔｅ１及び外付電話機Ｔｅ２に対して１つずつ設置されるものとしてもよい。
【００２９】
２．ファクシミリ装置の基本動作
このファクシミリ装置Ｆの基本的な動作について、簡単に説明する。まず、通信を行っていないときは、ＣＭＬリレーＲＹｃでは、接点ｂ側が接続されることで、公衆回線網ＬとトランスＴとが切断された状態とされるとともに、公衆回線網Ｌが呼び出し信号検出回路３に接続される。これにより、公衆回線網Ｌの交換機より自機器へ送信される呼出信号の有無が、呼出信号検出回路３で検出される。又、リレーＲＹｈでは、接点ａ側が接続されることで、付属電話機Ｔｅ１及び外付電話機Ｔｅ２と接続される電話線がＭＰＵ１と接続される。
【００３０】
２−１．発呼側となるときのファクシミリ通信
又、操作部７が操作されてファクシミリ通信が行われるとき、操作部７の操作により入力された電話番号がＭＰＵ１で記憶された後、操作部７の操作によりファクシミリ通信の開始が指示されると、まず、ＣＭＬリレーＲＹｃでは、接点ａへの接続に切り換える。これにより、ＣＭＬリレーＲＹｃを介して、公衆回線網ＬとトランスＴとが接続されるとともに、ダイヤル発生回路３１による発呼信号の生成が可能となる。尚、リレーＲＹｈは、接点ａに接続されたままである。
【００３１】
そして、相手先に送信するために読取部５に挿入された原稿の画像が、読取部５の有するスキャナによって読み取られることで、その画像に基づく画像データが取得され、画像メモリ９に一時的に記憶される。その後、ＭＰＵ１が、記憶した電話番号をダイヤル発生回路３１に伝えることにより、ダイヤル発生回路３１が、その内部に備えたスイッチを開閉して、電話番号に基づく発呼信号を生成する。
【００３２】
この発呼信号は、公衆回線網Ｌに重畳されることとなるため、公衆回線網Ｌを管理する交換機では、ファクシミリ装置Ｆからの発呼信号を確認する。公衆回線網Ｌ上では、交換機が、発呼信号から読み取られる電話番号の通信端末装置とファクシミリ装置Ｆとの回線を接続し、相手先となる通信端末装置に呼出信号を送信する。よって、相手先となる通信端末装置は、交換機からの呼出信号を受信して着呼した後、着信したことを示す着信信号を、公衆回線網Ｌ及び交換機を介してファクシミリ装置Ｆに送信する。
【００３３】
そして、ファクシミリ装置Ｆでは、相手先となる通信端末装置からの着信信号を回線信号モニタ回路３２で検出して、着信したことをＭＰＵ１で感知したとき、相手先とのファクシミリ通信を行う。このとき、モデム２が動作して、相手先となる通信端末装置と、まず、ファクシミリ通信を行うための折衝を行った後、共通となるプロトコルによるファクシミリ通信を行う。
【００３４】
即ち、モデム２では、符号化動作及び変調動作を行うことで、相手先へ送信する信号を生成し、トランスＴを介して、公衆回線網Ｌで接続される相手先となる通信端末装置へ送信する。尚、相手先に送信する画像データは、画像メモリ９より読み出されて、相手先と共通となるプロトコルに応じた符号化及び変調を行って送信する。
【００３５】
一方、公衆回線網Ｌを通じて受信した相手先となる通信端末装置からの信号は、トランスＴを介してモデム２に与えられることによって復調及び復号され、ＭＰＵ１で受信信号の内容が確認される。即ち、ＭＰＵ１が、相手先となる通信端末装置から受信した信号より、ファクシミリ通信で使用可能なプロトコル、ファクシミリ通信の成功又は失敗、又は、受信できなかったデータの再送付の要求などを確認することで、ファクシミリ通信が好適に行われる。
【００３６】
２−２．着呼側となるときのファクシミリ通信
逆に、公衆回線網Ｌを通じて交換機からの呼出信号が受信されたとき、この呼出信号を呼出信号検出回路３が検出して、ＭＰＵ１に着呼したことを報知する。よって、ＭＰＵ１は、まず、接点ａが接続されているリレーＲＹｈを通じて、付属電話機Ｔｅ１及び外付け電話機Ｔｅ２に対して着呼を報知するとともに、表示部８又は不図示のスピーカなどにより、本体からも着呼を利用者に報知する。
【００３７】
その後、ＭＰＵ１では、ＯＨ検出回路４で付属電話機Ｔｅ１又は外付電話機Ｔｅ２でのオフフックを検出しない場合、電話通信でないものと判断する。これにより、ＭＰＵ１は、ＣＭＬリレーＲＹｃに対して、接点ａの接続への切換を指示した後、着信したことを示す着信信号をモデム２で生成して、この着信信号を、トランスＴ及び公衆回線網Ｌを介して、相手先となる通信端末装置に送信する。尚、リレーＲＹｈは、接点ａに接続されたままである。
【００３８】
そして、発呼側となったときの上述したファクシミリ通信における動作と同様、モデム２が動作することによって、トランスＴを介して、公衆回線網Ｌに対して送受信される信号がモデム２に入出力される。これにより、相手先となる通信端末装置と、まず、ファクシミリ通信を行うための折衝を行った後、共通となるプロトコルによるファクシミリ通信を行い、相手先から送信される画像データを受信する。受信した画像データは、モデム２よりＭＰＵ１に与えられた後、画像メモリ９に一時的に記憶される。
【００３９】
この画像メモリ９に一時的に記憶された画像データは、ＭＰＵ１により読み出されると、液晶ディスプレイなどで構成される表示部８への表示、又は、記録部６による記録紙への印刷が行われることで、画像データによる画像が出力される。尚、受信した画像データによる画像が表示部８へ表示される場合、操作部７の操作によって、記録部６による記録紙への印刷の可否が決定されるものとしてもよい。
【００４０】
２−３．発呼側となるときの電話通信
電話通信を行うために、付属電話機Ｔｅ１又は外付電話機Ｔｅ２がオフフックの状態となると、ＯＨ検出回路４がオフフックになったことを検出し、ＭＰＵ１に報知するため、ＭＰＵ１が、リレーＲＹｈに対して、接点ｂの接続への切換を指示する。尚、ＣＭＬリレーＲＹｃは、接点ｂに接続されたままである。そして、付属電話機Ｔｅ１又は外付電話機Ｔｅ２が操作されることで、相手先の電話番号がダイヤルされたとき、この相手先の電話番号に基づく発呼信号が、端子ｔａ，ｔｂより入力される。
【００４１】
これにより、ファクシミリ装置Ｆは、ファクシミリ通信を行うときと同様、公衆回線網Ｌの交換機に対して、リレーＲＹｈを介して発呼信号を送信する。よって、交換機は、発呼信号より確認した電話番号による通信端末装置に対して、公衆回線網Ｌを通じて呼出信号を送信する。相手先となる通信端末装置は、呼出信号を受信することで着呼した後、着信して通話が可能であること示す着信信号を送信する。
【００４２】
ファクシミリ装置Ｆは、公衆回線網Ｌを通じて、相手先から送信された着信信号を受信したとき、この着信信号を回線信号モニタ回路３２で検出する。又、リレーＲＹｈが接点ｂへの接続となっているため、リレーＲＹｈを通じて着信信号が、オフフックとなっている付属電話機Ｔｅ１又は外付電話機Ｔｅ２のいずれかに送信される。よって、付属電話機Ｔｅ１又は外付電話機Ｔｅ２のいずれかの利用者が、相手先との通話が可能となったことを確認するため、相手先の通信端末装置との通話が成される。
【００４３】
２−４．着呼側となるときの電話通信
一方、公衆回線網Ｌを通じて交換機からの呼出信号が受信されたとき、ファクシミリ通信のときと同様、呼出信号検出回路３が呼出信号の受信を検出する。これにより、付属電話機Ｔｅ１及び外付け電話機Ｔｅ２に対して着呼を報知するとともに、表示部８又は不図示のスピーカなどにより、本体からも着呼を利用者に報知する。
【００４４】
このとき、付属電話機Ｔｅ１又は外付電話機Ｔｅ２のいずれかが操作されて、ＯＨ検出回路４が付属電話機Ｔｅ１又は外付電話機Ｔｅ２のオフフックを検出すると、ＭＰＵ１は、リレーＲＹｈに対して、接点ｂの接続への切換を指示する。よって、着信したことを示す着信信号が、オフフックとなった付属電話機Ｔｅ１又は外付電話機Ｔｅ２から送信され
るため、この着信信号がリレーＲＹｈを介して公衆回線網Ｌに送信される。尚、ＣＭＬリレーＲＹｃは、接点ｂに接続されたままである。
【００４５】
このようにして、発呼を行った相手先となる通信端末装置に対して、公衆回線網Ｌを通じて、着信信号が送信されるため、相手先となる通信端末装置では、ファクシミリ装置Ｆによる通話が可能となったことを確認する。よって、発呼側となったときの上述した電話通信における動作と同様、付属電話機Ｔｅ１又は外付電話機Ｔｅ２のいずれかの利用者が、相手先の通信端末装置との通話を行う。
【００４６】
３．ファクシミリ通信と電話通信との切換動作
上述のような基本動作を行うファクシミリ装置Ｆにおける、その特徴部分となるファクシミリ通信と電話通信との切換動作について、図３のフローチャートを参照して説明する。尚、図３のフローチャートによる動作は、付属電話機Ｔｅ１又は外付電話機Ｔｅ２のいずれかを利用して発呼するときの動作によるものである。
【００４７】
まず、ＭＰＵ１は、ＯＨ検出回路４による検出結果に基づいて、付属電話機Ｔｅ１又は外付電話機Ｔｅ２がオフフックとなったか否かの確認を行う（Ｓ３０１）。このオフフックの検出は、付属電話機Ｔｅ１又は外付電話機Ｔｅ２のいずれかがオフフックとなるまで行われる。そして、付属電話機Ｔｅ１又は外付電話機Ｔｅ２のいずれかがオフフックとなったとき（Ｓ３０１でＹｅｓ）、リレーＲＹｈの接続が、接点ｂへの接続に切り換えられる（Ｓ３０２）。
【００４８】
その後、回線信号モニタ回路３２が、リレーＲＹｈと接続された公衆回線網Ｌの状態を測定することで、オフフックとなる付属電話機Ｔｅ１又は外付電話機Ｔｅ２のいずれかが操作されて、相手先となる電話番号がダイヤルされたか否かが確認される（Ｓ３０３）。このとき、公衆回線網Ｌに重畳された発呼信号を回線信号モニタ回路３２が検出しない場合は（Ｓ３０３でＮｏ）、電話番号がダイヤルされていないため、まず、オフフックとなってから所定時間が経過したかが確認される（Ｓ３０４）。そして、所定時間が経過していない場合は（Ｓ３０４でＮｏ）、ＯＨ検出回路４でオンフックとなったことを検出して、公衆回線網Ｌとの接続が切断されたか否かが確認される（Ｓ３０５）。
【００４９】
このＳ３０４及びＳ３０５での動作を行うとき、所定時間の経過を確認した場合（Ｓ３０４でＹｅｓ）、又は、公衆回線網Ｌとの接続が切断された場合（Ｓ３０５でＹｅｓ）は、図３のフローチャートによる動作を終了する。このとき、リレーＲＹｈで接続される接点が、接点ａに切り換えられ、付属電話機Ｔｅ１又は外付電話機Ｔｅ２と公衆電話網Ｌとの接続を切断する。一方、公衆回線網Ｌとの接続が維持していることを確認した場合（Ｓ３０５でＮｏ）、Ｓ３０３に移行して、再び、電話番号がダイヤルされて、発呼信号の送信の有無が確認される。
【００５０】
又、Ｓ３０３において、リレーＲＹｃを通じて公衆回線網Ｌに送信される発呼信号を、回線信号モニタ回路３２が検出すると（Ｙｅｓ）、ＭＰＵ１では、検出した発呼信号に基づく電話番号が、案内センターを指定する電話番号であるか否かを確認する（Ｓ３０６）。尚、本実施例においては、案内センターを指定する電話番号を「１０４」とするため、図３のフローチャートに示すように、付属電話機Ｔｅ１又は外付電話機Ｔｅ２によって、「１０４」がダイヤルされたか否かが確認される。
【００５１】
このとき、ダイヤルされた電話番号が「１０４」であることを確認すると（Ｓ３０６でＹｅｓ）、回線信号モニタ回路３２の検出結果より、案内センターから送信される着信信号の受信の有無が、ＭＰＵ１で確認される（Ｓ３０７）。このとき、交換機による案内センターとの回線の接続が成されず、案内センターからの着信信号が検出されなかった場合（Ｓ３０７でＮｏ）、上述したＳ３０４に移行し、所定時間の経過、又は、公衆回線網Ｌとの切断が確認される。
【００５２】
又、案内センターからの着信信号を受信したとき（Ｓ３０７でＹｅｓ）、相互に通信が可能となるため、付属電話機Ｔｅ１又は外付電話機Ｔｅ２を利用した、案内センターとの電話通信が行われる（Ｓ３０８）。この案内センターとの電話通信により、案内センターから相手先の電話番号の案内がなされる。このとき、ファクシミリ装置１は、回線信号モニタ回路３２により、案内された電話番号による通信端末装置との回線に自動的に切り換えるため、付属電話機Ｔｅ１又は外付電話機Ｔｅ２で、特定のボタンがダイヤルされたか否かを確認する（Ｓ３０９）。
【００５３】
このとき、付属電話機Ｔｅ１又は外付電話機Ｔｅ２における特定のボタンがダイヤルされることで生成される信号が、リレーＲＹｈを通じて接続される公衆回線網Ｌに重畳されるため、回線信号モニタ回路３２が測定することで、この信号の有無が検出される。尚、本実施例においては、「１＃」がダイヤルされたとき、案内センターにより案内された電話番号への自動接続が発令され、案内センターから交換機に対して、案内した電話番号による通信端末装置との回線の接続が指示される。回線の接続の切換が交換機に対して指示されたとき、交換機は、案内センターが案内した電話番号による通信端末装置に対して、呼出信号を送信する。
【００５４】
そして、付属電話機Ｔｅ１又は外付電話機Ｔｅ２で「１＃」がダイヤルされなかった場合（Ｓ３０９でＮｏ）、Ｓ３１０に移行して、上述のＳ３０４及びＳ３０５と同様の動作が行われる。即ち、案内センターからの着信信号の受信から所定時間が経過したか否かが確認されるとともに、公衆回線網Ｌとの接続が切断されたか否かが確認される。そして、所定時間の経過、又は、公衆回線網Ｌとの切断のいずれかが確認されると（Ｓ３１０でＹｅｓ）、図３のフローチャートによる動作を終了する。一方、所定時間の経過、及び、公衆回線網Ｌとの切断のいずれも確認されなかった場合は（Ｓ３１０でＮｏ）、Ｓ３０９に移行する。
【００５５】
一方、付属電話機Ｔｅ１又は外付電話機Ｔｅ２で「１＃」がダイヤルされた場合（Ｓ３０９でＹｅｓ）、ダイヤルされたことが回線信号モニタ回路３２よりＭＰＵ１に報知された後、相手先となる通信端末装置からの着信信号の受信が確認される（Ｓ３１１）。又、Ｓ３０６において、ダイヤルされた電話番号が「１０４」以外の電話番号となるときも（Ｎｏ）、このＳ３１１に移行し、着信信号の受信が確認される。
【００５６】
このとき、Ｓ３０７の動作と同様、回線信号モニタ回路３２の検出結果より、相手先となる通信端末装置からの着信信号の受信が確認される。そして、着信信号を受信しない場合は（Ｓ３１１でＮｏ）、Ｓ３１０と同様、所定時間の経過又は公衆回線Ｌとの切断が確認される（Ｓ３１２）。その後、所定時間の経過又は公衆回線Ｌとの切断が確認される場合は（Ｓ３１２でＹｅｓ）、図３のフローチャートによる動作を終了する一方で、所定時間の経過及び公衆回線Ｌとの切断が確認されない場合は（Ｓ３１２でＮｏ），Ｓ３１１に移行する。
【００５７】
一方、相手先となる通信端末装置からの着信信号を受信したとき（Ｓ３１１でＹｅｓ）、電話通信とファクシミリ通信のいずれを行うのかを認識するために、読取部５へ原稿が挿入されたか否かをＭＰＵ１が確認する（Ｓ３１３）。このとき、読取部５への原稿の挿入がなされていない場合（Ｓ３１３でＮｏ）、電話通信を行うものとＭＰＵ１で判定するため、ＣＭＬリレーＲＹｃ及びリレーＲＹｈの接続する接点の切換を行うことなく、電話通信による動作に移行する（Ｓ３１４）。その後、相手先との通話が終了し、公衆回線網Ｌとの接続が切断されると、図３のフローチャートによる動作を終了する。
【００５８】
逆に、読取部５への原稿が挿入されることで、原稿の読取部５へのセットが確認されると（Ｓ３１３でＹｅｓ）、ファクシミリ通信を行うものとＭＰＵ１で判定するため、ＣＭＬリレーＲＹｃ及びリレーＲＹｈの接続する接点の切換を行う（Ｓ３１５）。即ち、ＣＭＬリレーＲＹｃにおいて、接点ａへの接続に切り換えられるとともに、リレーＲＹｈにおいても、接点ａへの接続に切り換えられる。その後、ＭＰＵ１によりモデム２が起動されて（Ｓ３１６）、上述したファクシミリ通信が成される（Ｓ３１７）。このファクシミリ通信においても、画像データの送信が終了し、公衆回線網Ｌとの接続が切断されると、図３のフローチャートによる動作を終了する。
【００５９】
尚、本実施例においては、Ｓ３１１において、相手先の通信端末装置からの着信信号を受信したときに、原稿がセットされたか否かの判定が行われるものとしたが、上述したように、原稿がセットされたか否かについては、既に判定されるものとしてもよい。又、Ｓ３０９において、案内センターにより案内された電話番号への自動接続の発令を確認したときに、ファクシミリ通信及び電話通信のいずれを行うのかを判断するものとしてもよい。このとき、回線信号モニタ回路３２は、公衆回線網Ｌと直接接続しているので、着信信号の検出と、ＣＭＬリレーＲＹｃ及びリレーＲＹｈの接点の切換については、並列して行うことができる。
【産業上の利用可能性】
【００６０】
本発明は、電話通信とファクシミリ通信とを行うことが可能な通信端末装置であれば、ファクシミリ装置、又は、ファクシミリ機能に加えてコピー機能、スキャナ機能、プリンタ機能などを備えた複合機などの通信端末装置に適用することができる。
【図面の簡単な説明】
【００６１】
【図１】は、本発明の通信端末装置により番号案内サービスを利用した際の、通信端末装置内での動作を示すフローチャートである。
【図２】は、本発明の実施例１における通信端末装置の内部構成を示すブロック図である。
【図３】は、図２に示す通信端末装置の動作を示すフローチャートである。
【符号の説明】
【００６２】
１        システム制御部（ＭＰＵ）
２        モデム
３        呼出信号検出回路
４        オフフック検出回路（ＯＨ検出回路）
５        読取部
６        記録部
７        操作部
８        表示部
９        画像メモリ
３１      ダイヤル発生回路
３２      回線信号モニタ回路
Ｆ        ファクシミリ装置
ＲＹｃ    ＣＭＬリレー
ＲＹｈ    リレー
Ｌ        公衆回線網
Ｔ        トランス
ｔａ，ｔｂ      端子
Ｔｅ１    付属電話機
Ｔｅ２    外付電話機
【図１】
2009177573.tif 000003
【図２】
2009177573.tif 000004
【図３】
2009177573.tif 000005